(57)【要約】【課題】モニタ機種間での色再現の違いやモニタの色の経時変化などを解消し、製作者の意図しているオリジナル色を忠実に再現することができるカラーマネジメントシステム及びカラーマネジメント方法並びにカラーマネジメントプログラムを提供する。【解決手段】画像信号の入力を受けて、入力される画像信号が作成されたデバイスの色空間情報を示す入力プロファイル及び画像信号の出力先デバイスの標準的な色空間情報を示す出力プロファイルに基づいて、画像信号を色変換し、色変換された画像信号を出力先デバイスに出力する。【選択図】  図１
2004240606.tif 000002
【特許請求の範囲】
【請求項１】
画像信号の入力を受ける画像信号入力手段と、
該入力される画像信号が作成されたデバイスの色空間情報を示す入力プロファイルと、該画像信号の出力先デバイスの色空間情報を示す出力プロファイルとを記憶する記憶手段と、
該入力プロファイル及び出力プロファイルに基づいて、前記入力される画像信号の色変換を行う第１の色変換手段と、
該色変換された画像信号を前記出力先デバイスに出力する画像信号出力手段と
を具備することを特徴とするカラーマネンジメントシステム。
【請求項２】
画像信号及び該画像信号が作成されたデバイスの色空間情報を示す入力プロファイルを記憶する記憶媒体より、該画像信号及び入力プロファイルを読み出す読み出し手段と、
該画像信号の出力先デバイスの色空間情報を示す出力プロファイルを記憶する記憶手段と、
該入力プロファイル及び出力プロファイルに基づいて、前記読み出した画像信号の色変換を行う第１の色変換手段と、
該色変換された画像信号を前記出力先デバイスに出力する画像信号出力手段と
を具備することを特徴とするカラーマネンジメントシステム。
【請求項３】
前記カラーマネンジメントシステムは、さらに、
前記出力先デバイスに表示された画像の選択結果の入力を受ける画像選択入力手段と、
該入力された選択結果から前記出力先デバイスの色空間情報を決定し、該決定した色空間情報と前記記憶手段に記憶された色空間情報との差分値を算出し、該差分値に基づいて、前記色変換後の画像信号の色補正テーブルを生成する色補正手段と、
該生成した色補正テーブルに基づいて、前記色変換後の画像信号の色変換を行う第２の色変換手段と
を具備することを特徴とする請求項１又は請求項２に記載のカラーマネジメントシステム。
【請求項４】
画像信号の入力を受ける画像信号入力手段と、
該入力される画像信号が作成されたデバイスの色空間情報を示す目標値プロファイルと、該画像信号の出力先デバイスの色空間情報を示す出力プロファイルと、ＲＧＢ同値グレー画像を記憶する記憶手段と、
該出力先デバイスに表示された画像の選択結果の入力を受ける画像選択入力手段と、
該入力された選択結果に基づいて、前記出力先デバイスの色空間情報を決定し、該決定した色空間情報と前記記憶手段に記憶された色空間情報との差分値を算出し、該差分値に基づいて、前記出力プロファイルを更新する出力プロファイル更新手段と、
前記ＲＧＢ同値グレー画像を前記記憶部より読み出し、前記目標値プロファイル及び前記更新後の出力プロファイルに基づいて、該ＲＧＢ同値グレー画像の色変換を行う色変換手段と、
該色変換されたＲＧＢ同値グレー画像値に基づいて、色補正テーブルを生成する色補正手段と、
該生成した色補正テーブルに基づいて、前記画像信号の色変換を行う色変換手段と、
該色変換後の画像信号を前記出力先デバイスに出力する画像信号出力手段と
を具備することを特徴とするカラーマネンジメントシステム。
【請求項５】
画像信号及び該画像信号が作成されたデバイスの色空間情報を示す入力プロファイルを記憶する記憶媒体より、該画像信号及び入力プロファイルを読み出す読み出し手段と、
該画像信号の出力先デバイスの色空間情報を示す出力プロファイルと、ＲＧＢ同値グレー画像とを記憶する記憶手段と、
該出力先デバイスに表示された画像の選択結果の入力を受ける画像選択入力手段と、
該入力された選択結果に基づいて、前記出力先デバイスの色空間情報を決定し、該決定した色空間情報と前記記憶手段に記憶された色空間情報との差分値を算出し、該差分値に基づいて、前記出力プロファイルを更新する出力プロファイル更新手段と、
前記ＲＧＢ同値グレー画像を前記記憶部より読み出し、前記目標値プロファイル及び出力プロファイルに基づいて、該ＲＧＢ同値グレー画像の色変換を行う色変換手段と、
該色変換されたＲＧＢ同値グレー画像の画像値に基づいて、色補正テーブルを生成する色補正手段と、
該生成した色補正テーブルに基づいて、前記画像信号の色変換を行う色補正手段と
該色変換後の画像信号を前記出力先デバイスに出力する画像信号出力手段と
を具備することを特徴とするカラーマネンジメントシステム。
【請求項６】
画像信号の入力を受けて、
該入力される画像信号が作成されたデバイスの色空間情報を示す入力プロファイル及び該画像信号の出力先デバイスの色空間情報を示す出力プロファイルに基づいて、該画像信号を色変換し、
該色変換された画像信号を前記出力先デバイスに出力する
ことを特徴とするカラーマネンジメント方法。
【請求項７】
画像信号の入力を受ける画像信号入力処理と、
所定の記憶手段に記憶された、該入力される画像信号が作成されたデバイスの色空間情報を示す入力プロファイル及び該画像信号の出力先デバイスの色空間情報を示す出力プロファイルを読み出し、該入力プロファイル及び出力プロファイルに基づいて、前記入力される画像信号の色変換を行う色変換処理と、
該色変換された画像信号を前記出力先デバイスに出力する画像信号出力処理と
をコンピュータに実行させるためのカラーマネンジメントプログラム。
【発明の詳細な説明】
【０００１】
【発明の属する技術分野】
本発明は、主にＤＶＤプレイヤー等に搭載され、デバイスモニタ、視聴環境の違いによる色再現環境の違いを補正するカラーマネジメントシステム及びカラーマネジメント方法並びにカラーマネジメントプログラムに関する。
【０００２】
【従来の技術】
加速度的なＤＶＤプレイヤ、ＰＤＰ・液晶カラーテレビの普及により、家庭で簡単に映像作品（映画、アニメーション等）を大画面、高画質、高音質な環境（ホームシアター）で楽しむことが可能となっている。
その一方でデバイス（モニタ等）の多様化、ユーザの視聴環境の違いなど、色再現環境が千差万別であり、デバイスで表示する映像作品の作成者の意図している色（以下、オリジナル色といい、デバイスから表示される色の目標色とする）が適切に再現されていない場合もあり、映像作品を視聴するユーザのデバイスでこの色を表示することが潜在的なニーズとして存在している。
【０００３】
入力機器と出力機器の間で、色空間が違っても同じような見えるように処理する技術（ＣＭＳ：Ｃｏｌｏｒ  Ｍａｎａｇｅｍｅｎｔ  Ｓｙｓｔｅｍ）として、従来、入力画像自体のプロファイルとモニタ出力に利用するプロファイルとに基づいて、色変換を行う方法が存在し、このモニタプロファイルを低価格かつ簡便でしかも精度良く作成できるようにする技術が特許文献１に記載されている。
具体的には、このモニタプロファイリングシステムは、設定された条件毎に複数の画像をモニタに表示し、ユーザが目視により、画像の基本色として設定されている印刷物に一番近いものを選択し、選択された画像に基づき、モニタのガンマ特性及び色度点を求めることで、モニタプロファイルを作成する。
【０００４】
【特許文献１】
特開２００２−１２３２３６号公報
【０００５】
【発明が解決しようとする課題】
ところが、一部のＩｎｐｕｔ  デバイスプロファイルが組み込まれたＪＰＥＧファイルやＧＩＦファイルを除いては、入力動画像自体のＩｎｐｕｔプロファイルが画像情報に付属していないため、デバイスプロファイルに基づく色変換ができない場合がある。
このため、例えば、暗い映画館で上映された映画画像の色と、映画館に比べ明るい一般家庭において使用されるデバイス、つまり、ブラウン管テレビ、液晶テレビ、ＰＤＰテレビ等のカラースペースの異なるモニタで映される画像の色とが異なり、ユーザの期待を裏切る結果となってしまうといった問題点があった。特に記憶容量の大きなＤＶＤで同じ様な問題が生じると、より大きな問題となる。
【０００６】
本発明は、このような事情を考慮してなされたものであり、その目的は、モニタ機種間での色再現の違いやモニタの色の経時変化などを解消し、製作者の意図しているオリジナル色を忠実に再現することができるカラーマネジメントシステム及びカラーマネジメント方法並びにカラーマネジメントプログラムを提供することにある。
【０００７】
【課題を解決するための手段】
この発明は上記の課題を解決すべくなされたもので、請求項１に記載の発明は、画像信号の入力を受ける画像信号入力手段と、該入力される画像信号が作成されたデバイスの色空間情報を示す入力プロファイルと、該画像信号の出力先デバイスの色空間情報を示す出力プロファイルとを記憶する記憶手段と、該入力プロファイル及び出力プロファイルに基づいて、前記入力される画像信号の色変換を行う第１の色変換手段と、該色変換された画像信号を前記出力先デバイスに出力する画像信号出力手段とを具備することを特徴とする。
【０００８】
また、請求項２に記載の発明は、画像信号及び該画像信号が作成されたデバイスの色空間情報を示す入力プロファイルを記憶する記憶媒体より、該画像信号及び入力プロファイルを読み出す読み出し手段と、該画像信号の出力先デバイスの色空間情報を示す出力プロファイルを記憶する記憶手段と、該入力プロファイル及び出力プロファイルに基づいて、前記読み出した画像信号の色変換を行う第１の色変換手段と、該色変換された画像信号を前記出力先デバイスに出力する画像信号出力手段とを具備することを特徴とする。
【０００９】
また、請求項３に記載の発明は、請求項１又は請求項２に記載の発明において、前記カラーマネンジメントシステムは、さらに、前記出力先デバイスに表示された画像の選択結果の入力を受ける画像選択入力手段と、該入力された選択結果から前記出力先デバイスの色空間情報を決定し、該決定した色空間情報と前記記憶手段に記憶された色空間情報との差分値を算出し、該差分値に基づいて、前記色変換後の画像信号の色補正テーブルを生成する色補正手段と、該生成した色補正テーブルに基づいて、前記色変換後の画像信号の色変換を行う第２の色変換手段とを具備することを特徴とする。
【００１０】
また、請求項４に記載の発明は、画像信号の入力を受ける画像信号入力手段と、該入力される画像信号が作成されたデバイスの色空間情報を示す目標値プロファイルと、該画像信号の出力先デバイスの色空間情報を示す出力プロファイルと、ＲＧＢ同値グレー画像を記憶する記憶手段と、該出力先デバイスに表示された画像の選択結果の入力を受ける画像選択入力手段と、該入力された選択結果に基づいて、前記出力先デバイスの色空間情報を決定し、該決定した色空間情報と前記記憶手段に記憶された色空間情報との差分値を算出し、該差分値に基づいて、前記出力プロファイルを更新する出力プロファイル更新手段と、前記ＲＧＢ同値グレー画像を前記記憶部より読み出し、前記目標値プロファイル及び前記更新後の出力プロファイルに基づいて、該ＲＧＢ同値グレー画像の色変換を行う色変換手段と、該色変換されたＲＧＢ同値グレー画像値に基づいて、色補正テーブルを生成する色補正手段と、該生成した色補正テーブルに基づいて、前記画像信号の色変換を行う色変換手段と、該色変換後の画像信号を前記出力先デバイスに出力する画像信号出力手段とを具備することを特徴とする。
【００１１】
また、請求項５に記載の発明は、画像信号及び該画像信号が作成されたデバイスの色空間情報を示す入力プロファイルを記憶する記憶媒体より、該画像信号及び入力プロファイルを読み出す読み出し手段と、該画像信号の出力先デバイスの色空間情報を示す出力プロファイルと、ＲＧＢ同値グレー画像とを記憶する記憶手段と、該出力先デバイスに表示された画像の選択結果の入力を受ける画像選択入力手段と、該入力された選択結果に基づいて、前記出力先デバイスの色空間情報を決定し、該決定した色空間情報と前記記憶手段に記憶された色空間情報との差分値を算出し、該差分値に基づいて、前記出力プロファイルを更新する出力プロファイル更新手段と、前記ＲＧＢ同値グレー画像を前記記憶部より読み出し、前記目標値プロファイル及び出力プロファイルに基づいて、該ＲＧＢ同値グレー画像の色変換を行う色変換手段と、該色変換されたＲＧＢ同値グレー画像の画像値に基づいて、色補正テーブルを生成する色補正手段と、該生成した色補正テーブルに基づいて、前記画像信号の色変換を行う色補正手段と該色変換後の画像信号を前記出力先デバイスに出力する画像信号出力手段とを具備することを特徴とする。
【００１２】
また、請求項６に記載の発明は、画像信号の入力を受けて、該入力される画像信号が作成されたデバイスの色空間情報を示す入力プロファイル及び該画像信号の出力先デバイスの色空間情報を示す出力プロファイルに基づいて、該画像信号を色変換し、該色変換された画像信号を前記出力先デバイスに出力することを特徴とする。
【００１３】
また、請求項７に記載の発明は、画像信号の入力を受ける画像信号入力処理と、所定の記憶手段に記憶された、該入力される画像信号が作成されたデバイスの色空間情報を示す入力プロファイル及び該画像信号の出力先デバイスの色空間情報を示す出力プロファイルを読み出し、該入力プロファイル及び出力プロファイルに基づいて、前記入力される画像信号の色変換を行う色変換処理と、該色変換された画像信号を前記出力先デバイスに出力する画像信号出力処理とをコンピュータに実行させるためのカラーマネンジメントプログラムである。
【００１４】
【発明の実施の形態】
以下、図面を参照して第１の実施形態のカラーマネジメントシステムについて説明する。図１は、本実施形態のカラーマネジメントシステムの構成を示す構成図である。本実施形態のカラーマネジメントシステムは、３次元ＬＵＴ制御部１、色補正部２、１次元ＬＵＴ制御部３、操作部４から構成される。
３次元ＬＵＴ制御部１は、ＤＶＤメディア１００などの画像記憶媒体が記憶している画像信号（＝ＲＧＢ信号）の入力を信号読取部（図示せず）から受けて、３次元ＬＵＴ（＝ルックアップテーブル）に基づいて、色変換し、色変換された画像信号を出力先デバイスであるディスプレイ１１０、あるいは、１次元ＬＵＴ制御部３に出力する色変換部である。なお、本実施形態のカラーマネジメントシステムにおいては、図１に示すように、１次元ＬＵＴ制御部３に出力する場合の例について説明する。
【００１５】
３次元ＬＵＴ制御部１は、具体的には、システムＩ／Ｆ処理部１０とプロファイル変換処理部１１とから構成される。
システムＩ／Ｆ処理部１０は、画像信号の入力を受ける入力処理及びプロファイル変換処理部１１で色変換された画像信号を出力する出力処理を行う入出力部である。
プロファイル変換処理部１１は、予め記憶部（図示せず）に記憶された複数のＩｎＰｕｔプロファイル１３（＝入力プロファイル）のうち、操作部４から指定されたＩｎＰｕｔプロファイル１３及び予め記憶部（図示せず）に記憶された複数のＯｕｔＰｕｔプロファイル１２（＝出力プロファイル）のうち、ディスプレイ１１０との接続時に設定されたＯｕｔＰｕｔプロファイル１２に基づいて、入力される画像信号の色変換を行う色変換部である。
ここで、ＩｎＰｕｔプロファイル１３とは、入力される画像信号が作成されたデバイス（ＰＣのモニタ等）の色空間情報を示すデバイスプロファイルであり、ＲＧＢ値からＬａｂ値への変換テーブルを記載している。
また、ＯｕｔＰｕｔプロファイル１２とは、画像信号の出力先デバイス（＝ディスプレイ１１０）の標準的な色空間情報を示すデバイスプロファイルであり、Ｌａｂ値からＲＧＢ値への変換テーブルを記載している。
【００１６】
色補正部２は、操作部４からの入力を受けて（後述する）、３次元ＬＵＴ制御部１が出力する画像信号を１次元ＬＵＴ制御部３が色変換するための色補正テーブルを生成し、１次元ＬＵＴ制御部３に出力する。
色補正部２は、具体的には、１次元ＬＵＴ補正部２１と補正量算出部２２とから構成される。
１次元ＬＵＴ補正部２１は、出力先デバイス（＝ディスプレイ１１０）に表示された画像の選択結果の入力を操作部４より受けて、この選択結果に基づいて、ＲＧＢの入出力カーブを調整し、出力先デバイスの実際の色空間情報を決定し、実際の色空間情報と標準的な色空間情報の差分値を算出する色補正処理を実行する。
補正量算出部２２は、１次元ＬＵＴ補正部２１が算出した差分値に基づいて、色補正テーブルを生成するテーブル生成処理部であって、生成した色補正テーブルを１次元ＬＵＴ制御部３の記憶部（図示せず）に書き込む。
【００１７】
１次元ＬＵＴ制御部３は、色補正部２によって、記憶部に書き込まれた色補正テーブルに基づいて、３次元ＬＵＴ制御部１から入力される色変換後の画像信号を、さらに、色変換する色変換部であって、この色変換された画像信号を出力先デバイス（＝ディスプレイ１１０）に出力する。
操作部４は、リモートコントローラ等によるユーザの操作結果の入力を受けるとともに、ＤＶＤメディア投入後、後述する画像選択処理における選択結果を色補正部２に出力する処理、及び、複数のＩｎＰｕｔファイル１３のうち、指定されたＩｎＰｕｔファイル１３を３次元ＬＵＴ制御部１に対して出力する処理を実行する。
【００１８】
次に、本実施形態のカラーマネンジメントシステムの動作について、図面を参照して説明する。図２、図３は、本実施形態のカラーマネンジメントシステムにおける、色変換処理、画像選択処理の流れを示すフローチャートである。
ユーザは、ＤＶＤメディア１００に記憶された動画を見る前に、ディスプレイ１１０の色合わせを行う。すなわち、ユーザは、まず１次元ＬＵＴ変更用プログラムが記憶されたＤＶＤメディア１００を本カラーマネンジメントシステムの読取部に挿入する。
読取部は、ＤＶＤメディア１００の入力を受けて、１次元ＬＵＴ変更用プログラムを読み出し、本カラーマネンジメントシステムのＣＰＵ・３０（図示せず）に対して出力する。
【００１９】
ＣＰＵ・３０は、１次元ＬＵＴ変更用プログラムの入力を受けて、これを実行する。すなわち、ＣＰＵ・３０は、ＤＶＤメディア１０１に記憶された複数の画像データと画像選択に関する指示メッセージを読み出して、ディスプレイ１１０に表示する。ユーザは、表示された指示メッセージに従い、ディスプレイ１１０に表示される複数の画像と同様の画像が紙媒体等に印刷された印刷チャートとを見比べて、いずれの画像が印刷チャートに印刷された画像に一番近いかを選択する。
このとき、ＣＰＵ・３０は、まずハイライト部の色の変化をつけた画像を複数ディスプレイ１１０に表示し、ユーザは、指示メッセージに従って、いずれの画像が印刷チャートに印刷された画像に一番近いかをリモコンを用いて選択する（図３のステップＳ１）。
【００２０】
次に、ＣＰＵ・３０は、中間調の色の変化をつけた画像を複数ディスプレイ１１０に表示し、ユーザは、指示メッセージに従って、いずれの画像が印刷チャートに印刷された画像に一番近いかをリモコンを用いて選択する（ステップＳ２）。
次に、ＣＰＵ・３０は、シャドウ部の色の変化をつけた画像を複数ディスプレイ１１０に表示し、ユーザは、指示メッセージに従って、いずれの画像が印刷チャートに印刷された画像に一番近いかをリモコンを用いて選択する（ステップＳ３）。
そして、操作部４は、上記過程における選択結果を色補正部２に対して出力する。
【００２１】
色補正部２において、１次元ＬＵＴ補正部２１は、操作部４から選択結果の入力を受けて、ディスプレイ１１０の実際の色空間情報を決定する。
ここで、ディスプレイ１１０の実際の色空間情報は、以下のような原理によって決定される。
すなわち、Ｒｅｄが強いディスプレイと弱いディスプレイに同じ画像データを表示させた場合、Ｒが強いディスプレイほど全体的に赤く、Ｒが弱いディスプレイほど全体的に青く表示され（図４を参照）、特にホワイトやグレー色とした場合、顕著な違いが表れる。したがって、ディスプレイ１１０に表示される複数の画像と同様の画像が紙媒体等に印刷された印刷チャートとを見比べた場合、ユーザは、この顕著な違いによって、いずれの画像が印刷チャートに印刷された画像に一番近いかを選択する。１次元ＬＵＴ補正部２１は、この選択結果に基づいて、ハイライト〜シャドウ部での色の差を１次元カーブとして割り当てる（図５を参照）ことが可能となる。
【００２２】
以上の処理を行うために、まずディスプレイの色特性情報を印刷物で取得する。
すなわち、比較対象として「印刷チャート」と「印刷物と標準ディスプレイ上で同じ色に見える標準画像データ」を用意する。ここで、「標準ディスプレイ」とは、あらゆるディスプレイから標準とされるようなものではなく、現存する１つのディスプレイを標準としたものである（図６を参照）。
この標準画像データをディスプレイ１１０で表示した場合、ディスプレイ１１０と標準ディスプレイの特性は異なっているため、ユーザには、参照する印刷物とモニタ表示画像が異なって見える（図７を参照）。
【００２３】
今、ディスプレイ１１０が、標準ディスプレイに比べてＲｅｄが強い場合、ユーザは、印刷チャートに比べて、ディスプレイ１１０に表示された標準画像の方をより赤く認識する。
一方、ディスプレイ１１０上にて、標準画像データにＲｅｄを線形に下げる入出力カーブをかけた「青い」画像を表示した場合、ユーザには、カーブをかけていない標準画像より「青い」の方が、印刷チャートの色に近く見える（図８を参照）。この場合、１次元ＬＵＴ補正部２１が、このときの色の差を１次元カーブとして割り当てる（図９を参照）と、基準（ＩＮ＝ＯＵＴ）に比べて、値が低いことから、実際の色空間情報と標準的な色空間情報の差分値を算出し（ステップＳ４）、差分値に基づいて、色補正テーブルを生成するテーブル生成処理を実行する。
【００２４】
すなわち、１次元ＬＵＴ補正部２１は、ハイライト部の多いグレー系画像をユーザに比較させることで、選択結果に基づいて、ハイライト部を調節する（図１０を参照）。次に、１次元ＬＵＴ補正部２１は、ハイライト部の多いグレー系画像をユーザに比較させることで、選択結果に基づいて、中間調を調整する（図１１を参照）。次に、１次元ＬＵＴ補正部２１は、シャドウ部の多いグレー系画像をユーザに比較させることで、選択結果に基づいて、シャドウ部を調整する（図１２を参照）。その他、１次元ＬＵＴ補正部２１は、中間調〜ハイライト画像をユーザに比較させることで、選択結果に基づいて、中間調の明るさとハイライト部の飛びを見ながら全体のガンマを調整する（図１３を参照）。
そして、１次元ＬＵＴ補正部２１は、以上の調整結果を補正量算出部２２に対して出力する。
【００２５】
補正量算出部２２は、ＲＧＢ値、ガンマ値の調整結果に基づいて、３次元ＬＵＴ制御部１で色変換後の画像信号の色補正テーブルである１次元ＬＵＴを生成する（ステップＳ５）。
ここで、１次元ＬＵＴは、
Ｒｉｎ［０］＝０，Ｒｉｎ［１］＝１，
Ｒｉｎ［２］＝３，Ｒｉｎ［３］＝４，
…，
Ｒｉｎ［２５３］＝２５０，Ｒｉｎ［２５４］＝２５３，
Ｒｉｎ［２５５］＝２５５
Ｇｉｎ［０］＝０，Ｇｉｎ［１］＝２，
Ｇｉｎ［３］＝５，Ｇｉｎ［３］＝５，
…，
Ｇｉｎ［２５３］＝２４９，Ｇｉｎ［２５４］＝２５４，
Ｇｉｎ［２５５］＝２５５
Ｂｉｎ［０］＝０，Ｂｉｎ［１］＝１，
Ｂｉｎ［２］＝４，Ｂｉｎ［３］＝６，
…，
Ｂｉｎ［２５３］＝２５１，Ｂｉｎ［２５４］＝２５２、
Ｂｉｎ（２５５）＝２５５
の１次元配列で表される。そして、補正量算出部２２は、生成した１次元ＬＵＴを１次元ＬＵＴ制御部３の記憶部に書き込む。
【００２６】
次に、ＣＰＵ・３０は、動画像の製作者毎に割り当てられた映像モードを複数ディスプレイ１１０に表示する。
ユーザは、ディスプレイ１１０に表示された複数の映像モードの中から、自身が見ようとするＤＶＤの製作者に割り当てられた映像モードをリモコン等を用いて、選択する。
操作部４は、ユーザの選択結果の入力を受けて、３次元ＬＵＴ制御部１が使用するＩｎＰｕｔプロファイルの設定を行う（図２のステップＳ１０）。なお、本実施形態のカラーマネジメントシステムにおいては、ユーザが、使用するＩｎＰｕｔプロファイルを選択するようにしたが、動画像が記録されたＤＶＤメディア１００に使用するＩｎＰｕｔプロファイルの識別子を書き込んでおき、これを読取部が読み取って、３次元ＬＵＴ制御部１に出力し、３次元ＬＵＴ制御部１がこの識別子に基づいて、ＩｎＰｕｔプロファイルの設定を行うようにしてもよい。
【００２７】
次に、ユーザは、動画像が記録されたＤＶＤメディア１００を本カラーマネジメントシステムの読取部に挿入する。読取部は、ＤＶＤメディア１００より画像信号を読み取って、ＲＧＢ信号を３次元ＬＵＴ制御部１に出力する。３次元ＬＵＴ制御部１は、ＲＧＢ信号の入力を受けて、プロファイル変換処理部１１が、システムＩ／Ｆ処理部１０に設定されたＩｎＰｕｔプロファイル１３及びＯｕｔＰｕｔプロファイル１２を読み出して、これらのプロファイルに基づいて、ＲＧＢ信号を３次元ＬＵＴ変換する。
すなわち、プロファイル変換処理部１１は、まず入力されたＲＧＢ信号をＩｎＰｕｔプロファイル１３により、Ｌａｂ変換し（ステップＳ１１、Ｓ１２）、この変換後のＬａｂ値をＯｕｔＰｕｔプロファイル１２により、ＲＧＢ信号に変換する（ステップＳ１３、Ｓ１４）。
そして、３次元ＬＵＴ制御部１は、変換後のＲＧＢ信号を１次元ＬＵＴ制御部３へ出力する。
【００２８】
１次元ＬＵＴ制御部３は、変換後のＲＧＢ信号の入力を受けて、色補正部２によって、記憶部に書き込まれた色補正テーブル（＝１次元ＬＵＴ）に基づいて、色変換する。すなわち、変換後のＲＧＢ信号を
（Ｒ，Ｇ，Ｂ）＝（０，１，２）
とした場合、１次元ＬＵＴ制御部３は、上記１次元ＬＵＴに基づいて、
2004240606.tif 000003
と変換する（ステップＳ１５）。
そして、１次元ＬＵＴ制御部３は、この色変換されたＲＧＢ信号をディスプレイ１１０に出力する。
【００２９】
以上説明したように、本実施形態のカラーマネジメントシステムによれば、
製作者の表示デバイスの色空間情報を反映したＩｎＰｕｔデバイスプロファイルに基づく色変換を行うので、モニタ機種間での色再現の違いやモニタの色の経時変化などを解消し、製作者の意図しているオリジナル色を忠実に再現することができる効果が得られる。具体的には、例えば、暗い映画館で上映された映画画像の色と、映画館に比べ明るい一般家庭において、カラースペースの異なるブラウン管テレビ、液晶テレビ、ＰＤＰテレビで映されるＤＶＤ画像の色とを一致させることができる効果が得られる。
【００３０】
なお、上述の実施形態においては、予め所定の記憶部に入力プロファイルが記憶されている場合の例を示したが、本発明は、これに限られるものではない。
すなわち、ＤＶＤメディア等の記憶媒体上に、画像信号及び画像信号が作成されたデバイス（ＰＣのモニタ等）の色空間情報を示すデバイスプロファイルを書き込んでおき、本発明のカラーマネジメントシステムの読取部がこれを読み取った後、記憶部に書き込む、あるいは、システムＩ／Ｆ処理部１０に設定するようにしてもよい。
また、画像信号とデバイスプロファイルとは、必ずしも同一のメディアに記録されている必要はなく、例えば、本発明のカラーマネジメントシステムにネットワークインターフェイスを設け、ネットワーク経由で画像信号とデバイスプロファイルの両方、又は、いずれか一方を受信するようにしてもよい。
【００３１】
次に本発明のカラーマネジメントシステムの第２の実施形態について、図面を参照して説明する。図１４は、本実施形態のカラーマネジメントシステムの構成を示す構成図である。本実施形態のカラーマネジメントシステムは、色補正部２、１次元ＬＵＴ制御部３、操作部４から構成される。
すなわち、本実施形態のカラーマネジメントシステムが、第１の実施形態のカラーマネジメントシステムと異なる点は、３次元ＬＵＴ変換を行う３次元ＬＵＴ制御部１を省略し、色補正部２が、さらに、色変換部２０を有している点である。
以下、第１の実施形態のカラーマネジメントシステムと共通する点については、説明を省略し、異なる点について説明する。
【００３２】
色補正部２は、第１の実施形態と同様に操作部４からの入力を受けて、１次元ＬＵＴ制御部３がＤＶＤメディア１００からのＲＧＢ信号を色変換するための色補正テーブルを生成し、１次元ＬＵＴ制御部３に出力する。
色補正部２は、具体的には、色変換部２０と、１次元ＬＵＴ補正部２１と、補正量算出部２２とから構成される。
色変換部２０は、予め記憶部（図示せず）に記憶されたＲＧＢグレー画像２５を使用ディスプレイプロファイル２４及び目標値プロファイル２３に基づいて、色変換し、色変換後のグレー画像２６の画像値を１次元ＬＵＴ補正部２１に出力する。
【００３３】
ここで、ＲＧＢグレー画像２５とは、
2004240606.tif 000004
のように、Ｒ、Ｇ、Ｂの値それぞれが等しい画像である。
また、使用ディスプレイプロファイル２４とは、第１の実施形態における、ＯｕｔＰｕｔプロファイル１２同様の機能を持つデバイスプロファイルであり、ディスプレイ１１０の標準的な色空間情報を示し、Ｌａｂ値からＲＧＢ値への変換テーブルを記載している。
また、目標値プロファイル２３とは、第１の実施形態における、ＩｎＰｕｔプロファイル１３と対応したデバイスプロファイルであり、入力される画像信号が作成されたデバイス（ＰＣのモニタ等）の色空間情報を示し、Ｌａｂ値からＲＧＢ値への変換テーブルを記載している。
【００３４】
１次元ＬＵＴ補正部２１は、出力先デバイス（＝ディスプレイ１１０）に表示された画像の選択結果の入力を操作部４より受けて、この選択結果に基づいて、標準ディスプレイと使用ディスプレイの差を計算する。具体的には、１次元ＬＵＴ補正部２１は、選択結果に基づいて、ＲＧＢの入出力カーブを調整して、出力先デバイスの実際の色空間情報を決定する。そして、１次元ＬＵＴ補正部２１は、実際の色空間情報と標準的な色空間情報の差分値を算出し、この差分値に基づいて、使用ディスプレイプロファイル２４をアップデートすることで、出力プロファイルを更新する。
また、１次元ＬＵＴ補正部２１は、色変換後のグレー画像２６の画像値の入力を受けて、補正量算出部２２に出力する。
補正量算出部２２は、色変換部２０が出力する色変換後グレー画像２６の画像値に基づいて、色補正テーブルを生成するテーブル生成処理部であって、生成した色補正テーブルを１次元ＬＵＴ制御部３の記憶部（図示せず）に書き込む。
【００３５】
次に、本実施形態のカラーマネンジメントシステムの動作について、図面を参照して説明する。図１５は、本実施形態のカラーマネンジメントシステムにおける、色変換処理、画像選択処理の流れを示すフローチャートである。
ユーザは、第１の実施形態と同様に、ＤＶＤメディア１００に記憶された動画を見る前に、ディスプレイ１１０の色合わせを行う。すなわち、ユーザは、１次元ＬＵＴ変更用プログラムが記憶されたＤＶＤメディア１０１を読取部に挿入する。読取部は、ＤＶＤメディア１０１の入力を受けて、１次元ＬＵＴ変更用プログラムを読み出し、本カラーマネンジメントシステムのＣＰＵ・３０（図示せず）に対して出力する。
【００３６】
ＣＰＵ・３０は、１次元ＬＵＴ変更用プログラムの入力を受けて、これを実行する。すなわち、ＣＰＵ・３０は、ＤＶＤメディア１０１に記憶された複数の画像データと画像選択に関する指示メッセージを読み出して、ディスプレイ１１０に表示する。ユーザは、表示された指示メッセージに従い、ディスプレイ１１０に表示される複数の画像と同様の画像が紙媒体等に印刷された印刷チャートとを見比べて、いずれの画像が印刷チャートに印刷された画像に一番近いかを選択する。
このとき、ＣＰＵ・３０は、まずハイライト部の色の変化をつけた画像を複数ディスプレイ１１０に表示し、ユーザは、指示メッセージに従って、いずれの画像が印刷チャートに印刷された画像に一番近いかをリモコンを用いて選択する（図１５のステップＳ２０）。
【００３７】
次に、ＣＰＵ・３０は、中間調の色の変化をつけた画像を複数ディスプレイ１１０に表示し、ユーザは、指示メッセージに従って、いずれの画像が印刷チャートに印刷された画像に一番近いかをリモコンを用いて選択する（ステップＳ２１）。
次に、ＣＰＵ・３０は、シャドウ部の色の変化をつけた画像を複数ディスプレイ１１０に表示し、ユーザは、指示メッセージに従って、いずれの画像が印刷チャートに印刷された画像に一番近いかをリモコンを用いて選択する（ステップＳ２２）。
そして、操作部４は、上記過程における選択結果を色補正部２に対して出力する。
【００３８】
色補正部２において、１次元ＬＵＴ補正部２１は、操作部４から選択結果の入力を受けて、ディスプレイ１１０の実際の色空間情報を決定する。すなわち、１次元ＬＵＴ補正部２１は、第１の実施形態と同様に、この選択結果に基づいて、ハイライト〜シャドウ部での色の差を１次元カーブとして割り当て、ＲＧＢそれぞれの基準（ＩＮ＝ＯＵＴ）と比較して（図９〜図１３）、実際の色空間情報と標準的な色空間情報の差分値を算出し（ステップＳ２３）、使用ディスプレイプロファイル２４にアップデートする（ステップＳ２４）。
【００３９】
次に、ＣＰＵ・３０は、動画像の製作者毎に割り当てられた映像モードを複数ディスプレイ１１０に表示する。
ユーザは、ディスプレイ１１０に表示された複数の映像モードの中から、自身が見ようとするＤＶＤの製作者に割り当てられた映像モードをリモコン等を用いて、選択する。
操作部４は、ユーザの選択結果の入力を受けて、目標値プロファイル２３の設定を行う。
【００４０】
次に、色変換部２０は、目標値プロファイル２３が設定されたことを受けて、ＲＧＢグレー画像２５を記憶部より読み出し（ステップＳ２５）、目標値プロファイル２３により、ＸＹＺ変換し、この変換後のＸＹＺ値を使用ディスプレイプロファイル２４により、ＲＧＢ信号に変換する（ステップＳ２６）。そして、色変換部２０は、色変換されたＲＧＢ同値グレー画像２６の画像値を補正量算出部２２に対して出力する。
補正量算出部２２は、１次元ＬＵＴ補正部２１を介して、色変換されたＲＧＢ同値グレー画像２６の画像値を受けて（ステップＳ２７）、１次元ＬＵＴを生成する（ステップＳ２８）。そして、補正量算出部２２は、生成した１次元ＬＵＴを１次元ＬＵＴ制御部３の記憶部に書き込む。
【００４１】
次に、ユーザは、第１の実施形態と同様に、動画像が記録されたＤＶＤメディア１００を本カラーマネジメントシステムの読取部に挿入する。読取部は、ＤＶＤメディア１００より画像信号を読み取って、ＲＧＢ信号を１次元ＬＵＴ制御部３に出力する。１次元ＬＵＴ制御部３は、変換後のＲＧＢ信号の入力を受けて、色補正部２によって、記憶部に書き込まれた色補正テーブル（＝１次元ＬＵＴ）に基づいて、色変換する。そして、１次元ＬＵＴ制御部３は、この色変換されたＲＧＢ信号をディスプレイ１１０に出力する。
【００４２】
以上説明したように、本実施形態のカラーマネジメントシステムによれば、
製作者の表示デバイスの色空間情報を反映した目標値プロファイルに基づく色変換を行うので、モニタ機種間での色再現の違いやモニタの色の経時変化などを解消し、製作者の意図しているオリジナル色を忠実に再現することができる効果が得られる。具体的には、例えば、暗い映画館で上映された映画画像の色と、映画館に比べ明るい一般家庭において、カラースペースの異なるブラウン管テレビ、液晶テレビ、ＰＤＰテレビで映されるＤＶＤ画像の色とを一致させることができる効果が得られる。
【００４３】
上述のカラーマネジメントシステムは内部に、コンピュータシステムを有しており、ＣＰＵ等の中央演算処理装置、ＲＯＭ、ＲＡＭ等の記憶部等から構成される。そして、上述した色変換、色補正に関わる一連の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４４】
【発明の効果】
以上説明したように、請求項１、請求項６、請求項７に記載の発明は、画像信号の入力を受けて、入力される画像信号が作成されたデバイスの色空間情報を示す入力プロファイル及び画像信号の出力先デバイスの標準的な色空間情報を示す出力プロファイルに基づいて、画像信号を色変換し、色変換された画像信号を出力先デバイスに出力するので、モニタ機種間での色再現の違いやモニタの色の経時変化などを解消し、製作者の意図しているオリジナル色を忠実に再現することができる効果を得ることができる。
【００４５】
また、請求項２に記載の発明は、画像信号及び画像信号が作成されたデバイスの色空間情報を示す入力プロファイルを記憶する記憶媒体より、画像信号及び入力プロファイルを読み出し、入力プロファイル及びと所定の記憶手段に記憶された画像信号の出力先デバイスの標準的な色空間情報を示す出力プロファイルに基づいて、読み出した画像信号の色変換を行し、色変換された画像信号を出力先デバイスに出力するので、モニタ機種間での色再現の違いやモニタの色の経時変化などを解消し、製作者の意図しているオリジナル色を忠実に再現することができる効果を得ることができるとともに、本システムに新たな入力プロファイルの追加をしなくても、これを媒体側に記憶させておけば、カラーマッチングを行うことができる効果が得られる。
【００４６】
また、請求項３に記載の発明は、請求項１又は請求項２に記載のカラーマネンジメントシステムにおいて、さらに、出力先デバイスに表示された画像の選択の入力を受けて、入力された選択画像から出力先デバイスの実際の色空間情報を決定し、実際の色空間情報と標準的な色空間情報の差分値を算出し、差分値に基づいて、色変換後の画像信号の色補正テーブルを生成し、生成した色補正テーブルに基づいて、色変換後の画像信号の色変換を行うので、色測定器などの高価なハードウェアを実装する必要がなく、安価に出力先のディスプレイ等のキャリブレーションを行うことができる効果が得られる。
【００４７】
また、請求項４に記載の発明は、出力先デバイスに表示された画像の選択結果の入力を受けて、入力された選択結果に基づいて、出力先デバイスの実際の色空間情報を決定し、実際の色空間情報と標準的な色空間情報の差分値を算出し、差分値に基づいて、出力プロファイルを更新し、画像信号の入力を受けて、入力される画像信号が作成されたデバイスの色空間情報を示す目標値プロファイルと、画像信号の出力先デバイスの標準的な色空間情報を示す出力プロファイルと、ＲＧＢ同値グレー画像とを記憶部より読み出し、目標値プロファイル及び更新後の出力プロファイルに基づいて、ＲＧＢ同値グレー画像の色変換を行い、色変換されたＲＧＢ同値グレー画像値に基づいて、色補正テーブルを生成し、生成した色補正テーブルに基づいて、画像信号の色変換を行い、色変換後の画像信号を出力先デバイスに出力するので、モニタ機種間での色再現の違いやモニタの色の経時変化などを解消し、製作者の意図しているオリジナル色を忠実に再現することができる効果を得ることができる。
【００４８】
また、請求項５に記載の発明は、画像信号及び画像信号が作成されたデバイスの色空間情報を示す入力プロファイルを記憶する記憶媒体より、画像信号及び入力プロファイルを読み出し、出力先デバイスに表示された画像の選択結果の入力を受けて、入力された選択結果に基づいて、出力先デバイスの実際の色空間情報を決定し、実際の色空間情報と標準的な色空間情報の差分値を算出し、差分値に基づいて、出力プロファイルを更新し、ＲＧＢ同値グレー画像を記憶部より読み出し、目標値プロファイル及び出力プロファイルに基づいて、ＲＧＢ同値グレー画像の色変換を行い、色変換されたＲＧＢ同値グレー画像の画像値に基づいて、色補正テーブルを生成し、生成した色補正テーブルに基づいて、画像信号の色変換を行い、色変換後の画像信号を出力先デバイスに出力するので、モニタ機種間での色再現の違いやモニタの色の経時変化などを解消し、製作者の意図しているオリジナル色を忠実に再現することができる効果を得ることができるとともに、本システムに新たな入力プロファイルの追加をしなくても、これを媒体側に記憶させておけば、カラーマッチングを行うことができる効果が得られる。
【図面の簡単な説明】
【図１】第１の実施形態のカラーマネジメントシステムの構成を示す構成図である。
【図２】第１の実施形態のカラーマネンジメントシステムにおける、色変換処理の流れを示すフローチャートである。
【図３】第１の実施形態のカラーマネンジメントシステムにおける、画像選択処理の流れを示すフローチャートである。
【図４】ディスプレイの色再現性について説明する説明図である。
【図５】標準ディスプレイと、使用ディスプレイの誤差を吸収する処理の過程を示す説明図である。
【図６】標準ディスプレイの表示と印刷チャートの見え方が一致することを示す説明図である。
【図７】ディスプレイの表示と印刷チャートの見え方が一致しないことを示す説明図である。
【図８】ディスプレイに表示される複数の画像から印刷チャートと一致する画像を選択する過程を示す説明図である。
【図９】ディスプレイ１１０の画像信号の入出力関係を示す説明図である。
【図１０】ハイライト部の多いグレー系画像でハイライト部を調整する場合における、ディスプレイ１１０の画像信号の入出力関係を示す説明図である。
【図１１】ハイライト部の多いグレー系画像で中間調を調整する場合における、ディスプレイ１１０の画像信号の入出力関係を示す説明図である。
【図１２】シャドウ部の多いグレー系画像でシャドウ部を調整する場合における、ディスプレイ１１０の画像信号の入出力関係を示す説明図である。
【図１３】全体のガンマ値を調整する場合における、ディスプレイ１１０の画像信号の入出力関係を示す説明図である。
【図１４】第２の実施形態のカラーマネジメントシステムの構成を示す構成図である。
【図１５】第２の実施形態のカラーマネンジメントシステムにおける、色変換処理の流れを示すフローチャートである。
【符号の説明】
１…３次元ＬＵＴ制御部
２…色補正部
３…１次元ＬＵＴ制御部
４…操作部
１０…システムＩ／Ｆ処理部
１１…プロファイル変換処理部
１２…ＯｕｔＰｕｔプロファイル
１３…ＩｎＰｕｔプロファイル
２０…色変換部
２１…１次元ＬＵＴ補正部
２２…補正量算出部
２３…目標値プロファイル
２４…使用ディスプレイプロファイル
２５…ＲＧＢ同値グレー画像
２６…色変換後ＲＧＢ同値クレー画像の画像値
１００…ＤＶＤメディア
１１０…ディスプレイ
【図１】
2004240606.tif 000005
【図２】
2004240606.tif 000006
【図３】
2004240606.tif 000007
【図４】
2004240606.tif 000008
【図５】
2004240606.tif 000009
【図６】
2004240606.tif 000010
【図７】
2004240606.tif 000011
【図８】
2004240606.tif 000012
【図９】
2004240606.tif 000013
【図１０】
2004240606.tif 000014
【図１１】
2004240606.tif 000015
【図１２】
2004240606.tif 000016
【図１３】
2004240606.tif 000017
【図１４】
2004240606.tif 000018
【図１５】
2004240606.tif 000019